(57)【特許請求の範囲】
【請求項１】
リール本体と、前記リール本体の前部に設けられ、周壁部および底部を備えた有底筒状部と、前記リール本体に設けられたハンドルの回転操作に連動して前記有底筒状部の周りを回転するロータと、を備えた魚釣用スピニングリールにおいて、
前記底部は、環状のフランジ部を有し、前記フランジ部の外縁部が前記周壁部の外周面よりも径方向外側に突出しており、
前記周壁部の外面と前記ロータの内面との間に形成される第一隙間に配置され、前記外面および前記内面の少なくとも一方から前記第一隙間内に突出する第一壁部と、
前記底部の前面と前記ロータの底部の後面との間に形成される第二隙間に配置され、前記前面および前記後面のうち、少なくとも前記前面から前記第二隙間内に突出する複数の壁部からなる第二壁部と、
前記底部の後面に保持され、前記有底筒状部の内側に配置される機能部材を外部からシールするためのシール機構と、を備え、
前記シール機構は、前記底部の前記前面よりも後方でのみ前記第二隙間から前記有底筒状部の内側に連通する部分をシールしており、
前記フランジ部の外縁部は、前記第一壁部の一部として機能し、防塵防護壁の一部を担っており、かつ、前記第二隙間に面している側の角部が面取りされていることを特徴とする魚釣用スピニングリール。
【請求項２】
前記第一壁部は複数の壁部からなることを特徴とする請求項１に記載の魚釣用スピニングリール。
【請求項３】
前記第一壁部および前記第二壁部の少なくとも一方はラビリンス構造とされていることを特徴とする請求項２に記載の魚釣用スピニングリール。
【請求項４】
前記シール機構は、前記ロータを駆動する駆動軸筒または前記駆動軸筒に一体回転可能に装着された装着部材との間に磁気回路を形成して、この間に磁性流体を保持することにより当該磁性流体でシールする磁気シール機構であることを特徴とする請求項１から請求項３のいずれか１項に記載の魚釣用スピニングリール。
【請求項５】
前記第一壁部および前記第二壁部の少なくとも一方は、別体の壁部材で構成されていることを特徴とする請求項１から請求項４のいずれか１項に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、リール本体と、リール本体の前部に設けられた有底筒状部と、有底筒状部の周りに回転可能に設けられたロータと、ロータの回転運動と同期して前後方向移動可能に設けられ、ロータを介して釣糸が巻回されるスプールとを有して構成される。有底筒状部の内側には、ロータを駆動するための駆動軸筒を支持する軸受やロータの逆転防止を制御するローラ式一方向クラッチ等の機能部材が備わる。
【０００３】
ところで、魚釣用スニングリールは、他の魚釣用リールと同様に、海水、埃等が付着、侵入し易く、厳しい状況下で使用される。このため、ロータの回転性能に影響し易い前記軸受やローラ式一方向クラッチ等への防水、防塵を図ることが必要になってくる。
【０００４】
従来、これらの防水、防塵を図る技術として、特許文献１に開示されたものが知られている。
特許文献１の魚釣用スピニングリールでは、軸受やローラ式一方向クラッチの前方に配設された第一シール部材と、第一シール部材の前方に配置された第二シール部材とを備えている。第一シール部材は、弾性シール材からなる。第二シール部材は、ラビリンス構造を有している。
【先行技術文献】
【特許文献】
【０００５】
【特許文献１】特開２０１５−１１２０４５号公報
【発明の概要】
【発明が解決しようとする課題】
【０００６】
ところで、魚釣用スピニングリールは、リール本体の有底筒状部の周りをロータが回転する構造上、有底筒状部とロータとの間には、隙間が形成されている。このため、実釣時等には、この隙間を通じて、ある程度の水圧を有する海水や水、あるいはこれらに混じった砂、異物等が侵入するおそれがあり、これらの侵入を防止したいという要望があった。
【０００７】
特許文献１に記載された魚釣用スピニングリールでは、前記した第一シール部材および第二シール部材を備えているものの、前記隙間を通じて侵入した海水や異物等が直接的に第一シール部材および第二シール部材に到達するおそれがある。このため、有底筒状部の内部に備わる機能部材（例えば、軸受やローラ式一方向クラッチ等）の性能を低下させるおそれがあった。機能部材の性能が低下すると、ロータ等の円滑な回転性能を長期間に亘って維持できなくなる可能性がある。
【０００８】
本発明は、前記課題を解決するためになされたものであり、防水、防塵機能を有し、リール本体の内部に備わる機能部材を保護することができる魚釣用スピニングリールを提供することを目的とする。
【課題を解決するための手段】
【０００９】
前記目的を達成するために本発明の魚釣用スピニングリールは、リール本体と、前記リール本体の前部に設けられ、周壁部および底部を備えた有底筒状部と、前記リール本体に設けられたハンドルの回転操作に連動して前記有底筒状部の周りを回転するロータと、を備えた魚釣用スピニングリールにおいて、前記底部は、環状のフランジ部を有し、前記フランジ部の外縁部が前記周壁部の外周面よりも径方向外側に突出しており、前記周壁部の外面と前記ロータの内面との間に形成される第一隙間に配置され、前記外面および前記内面の少なくとも一方から前記第一隙間内に突出する第一壁部と、前記底部の前面と前記ロータの底部の後面との間に形成される第二隙間に配置され、前記前面および前記後面のうち、少なくとも前記前面から前記第二隙間内に突出する複数の壁部からなる第二壁部と、前記底部の後面に保持され、前記有底筒状部の内側に配置される機能部材を外部からシールするためのシール機構と、を備え、前記シール機構は、前記底部の前記前面よりも後方でのみ前記第二隙間から前記有底筒状部の内側に連通する部分をシールしており、前記フランジ部の外縁部は、前記第一壁部の一部として機能し、防塵防護壁の一部を担っており、かつ、前記第二隙間に面している側の角部が面取りされていることを特徴とする。
【００１０】
この魚釣用スピニングリールでは、リール本体の前部に設けられる有底筒状部とその周りを回転するロータとの間に形成される第一隙間および第二隙間において、第一壁部および第二壁部がそれぞれ防水防塵壁として機能する。これにより、例えば、ある程度の水圧を有する海水や水、あるいはこれらに混じった砂、異物等が侵入するのを遮ることができる。つまり、隙間に備わる第一壁部と第二壁部との相乗効果によって、海水や異物等の侵入防止が実現される。
【００１１】
また、前記第一壁部は複数の壁部からなるのがよい。このようにすることで、隙間における防水防塵壁としての機能が高まり、海水や異物等の侵入防止がより一層好適に実現される。
【００１２】
また、前記第一壁部および前記第二壁部の少なくとも一方がラビリンス構造とされているのがよい。このようにすることで、海水や異物等の侵入防止がより一層効果的に実現される。
【００１３】
また、前記シール機構は、前記ロータを駆動する駆動軸筒または前記駆動軸筒に一体回転可能に装着された装着部材との間に磁気回路を形成して、この間に磁性流体を保持することにより当該磁性流体でシールする磁気シール機構であるのがよい。このようにすることで、有底筒状部とロータを駆動する駆動軸筒との密封性が確保される。
【００１４】
また、前記第一壁部および前記第二壁部の少なくとも一方が、別体の壁部材で構成されているのがよい。このようにすることで、壁部材を有底筒状部やロータに取り付けることで、第一壁部や第二壁部を簡単に設けることができる。
【発明の効果】
【００１５】
本発明によれば、有底筒状部とロータとの間に形成される隙間に備わる第一壁部と第二壁部との相乗効果によって、防水防塵機能を良好に発揮できるので、有底筒状部の内側に備わる機能部材、例えば、軸受やローラ式一方向クラッチ等を好適に保護することができる。したがって、ロータ等の円滑な回転性能を長期間に亘って好適に維持することが可能となる。
【００１６】
また、第一壁部を複数の壁部から構成したり、第一壁部および第二壁部の少なくとも一方をラビリンス構造とすることで、防水防塵壁としての機能がより一層高まるので、有底筒状部の内側に備わる機能部材を、海水や異物等から効果的に保護することができる。
【００１７】
また、磁気シール機構を備えることで、ロータを駆動する駆動軸筒の回転性能を低下させることなく、防水、防塵を図ることができるので、有底筒状部の内側に備わる機能部材を、海水や異物等から効果的に保護することができるとともに、錆びや塩分等に起因する回転性能の悪化を未然に防止できる。
【００１８】
また、第一壁部および第二壁部の少なくとも一方を別体の壁部材で構成した場合には、壁部材を有底筒状部やロータに取り付けることで、第一壁部や第二壁部を簡単に設けることができるので、コストの低減が可能であるとともに生産性が向上する。
【図面の簡単な説明】
【００１９】
【図１】本発明の一実施形態に係る魚釣用スピニングリールの全体構成を示す図である。
【図２】図１の魚釣用スピニングリールの保護カバー周りの構造を示す拡大平断面図である。
【図３】リール本体の前部の拡大縦断面図である。
【図４】保護カバーの第一部材を示す図であり、（ａ）は前面図、（ｂ）は側面図、（ｃ）は断面図である。
【図５】保護カバーの第二部材を示す図であり、（ａ）は前面図、（ｃ）は側面図、（ｃ）は断面図、（ｄ）は（ｃ）のＡ−Ａ線断面図である。
【図６】（ａ）はリール本体の要部の側面図、（ｂ）は（ａ）のＢ−Ｂ線断面図である。
【図７】（ａ）は保護カバーを装着したリール本体を前方斜め上方から見た斜視図、（ｂ）はリール本体から保護カバーを外した分解斜視図である。
【図８】（ａ）は第一壁部の変形例を示す要部拡大平断面図、（ｂ）は第二壁部の変形例を示す要部拡大平断面図である。
【発明を実施するための形態】
【００２０】
以下、本発明に係る魚釣用スピニングリールの実施形態について図面を参照して説明する。各実施形態において、同一の部分には同一の符号を付し、重複する説明は省略する。なお、以下の説明において、「前後」「上下」を言うときは、図１に示した方向を基準とし、「左右」を言うときは、図７に示す方向を基準とする。
【００２１】
図１に示すように、主として、魚釣用スピニングリールは、図示しない釣竿に装着するための脚部１Ａが形成されたリール本体１（例えば、金属材料で形成される）と、リール本体１の前方に回転可能に設けられたロータ４と、このロータ４の回転運動と同期して前後方向移動可能に設けられたスプール５とを有して構成される。
リール本体１の前部１Ｂには、有底筒状の保護カバー１０が装着されている。保護カバー１０は、ロータ４の内側に位置している。保護カバー１０は、特許請求の範囲における「周壁部および底部を備えた有底筒状部」に相当する。保護カバー１０の詳細は後記する。
【００２２】
リール本体１には、図示しない軸受を介してハンドル軸２が回転可能に支持されている。ハンドル軸２の図示しない突出端部には、巻き取り操作されるハンドル７が取り付けられている。ハンドル軸２には、図示しない軸筒が回り止め固定されている。この軸筒には、ロータ４を巻き取り駆動するための内歯が形成されたドライブギヤ６が一体的に形成されている。このドライブギヤ６は、ハンドル軸２と直交する方向に延出するとともに内部に軸方向に延出する空洞部を有する駆動軸筒８（駆動軸、図２参照）のピニオンギヤ８ａ（図２参照）に噛合している。
【００２３】
駆動軸筒８は、図２に示すように、前側軸受（ボールベアリング）９ａと不図示の後側軸受（ボールベアリング）を介してリール本体１に回転可能に支持されている。また、駆動軸筒８はスプール５側に向けて延出しており、その先端部にロータ４がロータナット４ａ（一部図示）によって取り付けられている。
前側軸受９ａは、その後端がピニオンギヤ８ａの前端、およびリール本体１の前部中央に形成された凹所の支持部１ｃに突き当てられて保持されている。また、前側軸受９ａは、前端の外輪９ａ１がリール本体１の前部１Ｂに係止される係止板１ｚで抜け止めされ、ローラ式一方向クラッチ１１（以下、単に「一方向クラッチ」という）の内輪１３は、軸受９ａの内輪９ａ２に当接されている。
【００２４】
一方向クラッチ１１は、ハンドル７（ロータ４）の釣糸放出方向への逆回転を防止する公知の逆転防止機構（ストッパ）を構成している。
一方向クラッチ１１は、リール本体１の下部に設けられた切換部材１２（図１参照）に連動しており、切換部材１２を回動操作することで、一方向クラッチ１１が作動状態と非作動状態とに切り換えられるように構成されている。この場合、切換部材１２を作動状態に切り換えることで、ハンドル７（ロータ４）の逆転方向の回転（釣糸放出方向の回転）が防止される。
このような一方向クラッチ１１は、リール本体１の前部１Ｂの周壁部１ｄによって覆われ、さらにその外側を保護カバー１０で保護されている。
【００２５】
駆動軸筒８の内部には、空洞部が形成されており、この空洞部には、摺動可能なクリアランスを有してスプール軸９が挿通支持されている。スプール軸９の後端には、スプール５（スプール軸９）を前後往復動させるための公知のスプール往復動装置１５（図１参照）が係合している。
【００２６】
このような構成を有する魚釣用スピニングリールにおいて、ハンドル７により巻き取り操作を行うと、ロータ４が巻き取り駆動機構を介して回転駆動されるとともに、スプール５がスプール往復動装置１５を介して前後往復動される。これにより、釣糸は、ロータ４の釣糸案内部４ｃ（図１参照）を介してスプール５の巻回胴部５ａ（図１参照）に均等に巻回される。
【００２７】
ロータ４は、図１に示すように、略円筒状に形成された筒部４１と、筒部４１の前端に連続する底部４２とを備えている。筒部４１と底部４２とは一体形成されている。
一方、ロータ４の内側に配置される保護カバー１０は、キャップ状の第一部材２０（有底筒状部の底部）と、円筒状の第二部材３０（有底筒状部の周壁部）と、からなる前後二部材で構成されている。
【００２８】
図２に示すように、ロータ４の筒部４１の内面４１ａと保護カバー１０の第二部材３０の外面３０ａとの間には、第一隙間Ｓ１が形成されている。また、ロータ４の底部４２の後面４２ａと保護カバー１０の第一部材２０の前面２０ａとの間には、第二隙間Ｓ２が形成されている。第一隙間Ｓ１と第二隙間Ｓ２は連続している。ロータ４は、これらの第一隙間Ｓ１および第二隙間Ｓ２を有することで保護カバー１０の周りを回転可能に設けられている。
第一隙間Ｓ１には、防水防塵壁として機能する第一壁部Ｋ１が設けられている。また、第二隙間Ｓ２には、同じく防水防塵壁として機能する第二壁部Ｋ２が設けられている。第一壁部Ｋ１および第二壁部Ｋ２の詳細は後記する。
【００２９】
ロータ４の筒部４１の外周には、図１に示すように、略１８０°間隔おいて一対のアーム部４９が形成されている。各アーム部４９は、筒部４１の後部（リール本体１側）から径方向外方に突き出した連結部４９ａを介して筒部４１に一体形成されており、連結部４９ａから軸方向に延出している。これにより、筒部４１と各アーム部４９との間にはスペース４４が形成されている。スペース４４には、スプール５のスカート部５ｂが配置される。
【００３０】
また、ロータ４の底部４２の前面外周縁部には、図２に示すように、周溝４２ｂが形成されている。周溝４２ｂには、糸落ち係止部材４５が装着されている。糸落ち係止部材４５はねじ４６により抜け止めされている。糸落ち係止部材４５は、糸ふけ等によって前記スペース４４に釣糸が侵入することによる糸落ち現象が生じた場合に、侵入した釣糸を係止し、これより前方へ釣糸が移動してしまうのを阻止する役割をなす。
【００３１】
次に、保護カバー１０について説明する。保護カバー１０は、リール本体１と別体に設けられており、図７に示すように、リール本体１の前部１Ｂを覆う状態に装着される。保護カバー１０は、全体が有底円筒状（環状カバー体）を呈している。保護カバー１０は、底部を形成する第一部材２０の後部に周壁部を形成する第二部材３０が接続されてなる。
【００３２】
第一部材２０は、第二部材３０よりも高強度の材料（金属材料）により構成されており、形成精度の高いものとなっている。本実施形態では、第一部材２０が非磁性金属材料、例えば、アルミニウム合金、マグネシウム合金、チタン合金、オーステナイト系ステンレス等からなる。第一部材２０は、削り出し、プレス加工、または鍛造により形成される。
【００３３】
第一部材２０は、図４（ｂ）に示すように、フランジ部２１と、フランジ部２１の後部に一体形成された円筒部２２と、を備えている。フランジ部２１は、環状を呈しており、外縁部２１ａが円筒部２２の外周面よりも径方向外側に延出している。本実施形態では、図２，図３に示すように、外縁部２１ａが、第二部材３０の外周面よりも径方向外側に突出しており、第一隙間Ｓ１内に位置している。これにより、外縁部２１ａは、第一壁部Ｋ１の一部として機能し、防塵防護壁の一部を担っている。なお、図３において、ロータ４の構成は簡略化している。
【００３４】
フランジ部２１の後面は、第二部材３０の基部３１の前端部に対峙している。フランジ部２１と円筒部２２との角部には、図２に示すように、ゴム材からなる弾性を有するシール部材１ｅが配置されている。第一部材２０は、このシール部材１ｅを介して第二部材３０のリブ３４をフランジ部２１が押圧する状態に、前部１Ｂに対して圧着固定される。
【００３５】
一方、フランジ部２１の内周縁部は径方向内側に延出している。その内周縁部の前面には、図４（ａ）に示すように、二重円環状の突状部２３，２３が形成されている。突状部２３，２３は、第二壁部Ｋ２（図２，３参照）を構成している。
突状部２３，２３は、同心円状に形成されており、対向配置されるロータ４の底部４２の後面４２ａに向けて突出している（図２参照）。外側の突状部２３と内側の突状部２３との間には、これらによって仕切られる溝部２３ａが形成されている。突状部２３，２３は、図２に示すように、ロータ４の底部４２の後面４２ａに対して接触することなく、若干の隙間を有して対峙している。
なお、図４（ａ）に示すように、フランジ部２１の内縁部の上下部分には、切欠部２３ｂ，２３ｂが形成されている。切欠部２３ｂ，２３ｂには、第一部材２０を装着する際に用いる図示しない治具のピンが挿入される。
【００３６】
一方、ロータ４の後面４２ａには、第二壁部Ｋ２を構成する二重円環状の突状部４３，４３が形成されている。
突状部４３，４３は、同心円状に形成されており、対向配置される保護カバー１０の第一部材２０のフランジ部２１の前面２０ａに向けて突出している。このうち外側の突状部４３は、図２，３に示すように、保護カバー１０の外側の突状部２３の径方向外側に位置している。つまり、外側の突状部４３は、径方向外側から保護カバー１０の外側の突状部２３を部分的に覆っている。また、内側の突状部４３は、保護カバー１０の溝部２３ａ内に位置している。つまり、内側の突状部４３は、径方向内側から保護カバー１０の外側の突状部２３を部分的に覆うとともに、保護カバー１０の内側の突状部２３を径方向外側から部分的に覆っている。突状部４３，４３は、図２に示すように、保護カバー１０の第一部材２０の前面２０ａに対して接触することなく、若干の隙間を有して対峙している。
【００３７】
以上のような第二壁部Ｋ２は、前記した突状部２３，２３と前記した突状部４３，４３とが径方向に交互に重なって形成されており、第二隙間Ｓ２においてラビリンス構造をなしている。
【００３８】
なお、第二壁部Ｋ２は、複数の壁部（突状部２３，２３、突状部４３，４３）から構成するものを示したが、これに限られることはなく、単数の壁部、例えば、突状部２３のみ、あるいは突状部４３のみで構成してもよい。
【００３９】
第一部材２０のフランジ部２１の内周縁部の後面は、リール本体１の前部１Ｂの前端部に対峙しており、この前端部との間に、磁気シール機構５０の前極板（保持板）５１を挟持し抜け止め支持している。つまり、第一部材２０は、前極板５１を介して、リール本体１の前部１Ｂの前端部に当接して位置決めされる。前極板５１の外周縁部と前部１Ｂの前端部との間には、ゴム材からなる弾性を有するシール部材１ｆ（円環状のＯリング）が介設されている。
【００４０】
磁気シール機構５０は、図２に示すように、磁性材からなる前極板５１と、磁石５３と、磁性材からなる後極板（保持板）５２と、磁性部１４と、支持板５４と、磁性流体５５と、を備え、これらが一つのユニットとして構成される。
前極板５１は、磁石５３を前側から保持する磁気リングとして機能している。磁石５３は、環状を呈しており、駆動軸筒８を所定の隙間を有して囲うように配置されている。後極板５２は、磁石５３を後側から保持する磁気リングである。環状の磁石５３は、前極板５１と後極板５２で同芯状に挟着支持された状態で接着等の手段で一体的にアッセンブリー化されて、前部１Ｂの前部内周面１ｋに後極板５２の外周が嵌合されるとともに、前部１Ｂの前端面１ｋ１に前極板５１の後面が当接されてフランジ部２１の内周縁部の後面で抜け止め支持されている。
なお、後極板５２と一方向クラッチ１１の前端部との間に非磁性の支持板５４が介在されてこれらを軸方向に支持規制している。
【００４１】
磁性部１４は、一方向クラッチ１１の内輪１３の前端部に一体的に圧入嵌合されている。磁性部１４は、磁石５３を挟持する前極板５１と後極板５２との間に磁気回路を形成している。内輪１３は、駆動軸筒８に回り止め嵌合されて一方向クラッチ１１に嵌入されている。磁性部１４の内側には、駆動軸筒８との間にロータ４の支持部４７が支持されている。なお、磁性部１４は、特許請求の範囲における「駆動軸筒に一体回転可能に装着された装着部材」に相当する。磁性部１４は必ずしも設けなくてもよく、一方向クラッチ１１の内輪１３を前方に延在させて磁性部１４として機能させてもよい。
【００４２】
ここで、前極板５１、後極板５２は、磁石５３を挟持して保持しつつその内側に周方向に沿って凹所が生じるように、かつ、磁性部１４の外面との間に磁性流体５５を保持するためのわずかな隙間を確保するように配置される。前極板５１および後極板５２は、磁性部１４との間で（駆動軸筒８との間で）磁性領域を発生させるような構造であればよい。
【００４３】
なお、磁性流体５５は、例えば、Ｆｅ３Ｏ４のような磁性微粒子を、界面活性剤によってベースオイル中で安定な分散状態が保たれているものであり、粘性があって磁石を近づけると引き寄せられる特性を備えている。このため、磁性流体５５は、磁石５３、前極板５１および後極板５２、さらに、磁性体としての磁性部１４によって形成される磁気回路によって、前記凹所内および磁石５３周りに形成される隙間に安定して保持され、これらの内縁部で囲まれる開口部をシールする。
【００４４】
本実施形態では、第一部材２０の前記した螺合による固定とともに、磁気シール機構５０を構成する各要素を前部１Ｂの前端部に支持固定されるように構成されている。つまり、第一部材２０を前部１Ｂに固定する際に磁気シール機構５０を構成する各要素（前極板５１、後極板５２、磁石５３）も一緒に固定される。ここで、第一部材２０は、第二部材３０よりも高強度の金属製であるので、これによって固定される磁気シール機構５０は、リール本体１の前部１Ｂにガタツキや傾き、変形等なく高精度に取り付けられる。
【００４５】
第一部材２０の円筒部２２の内面には、図４（ｃ）に示すように、螺着部としての雌ねじ２２ａが形成されている。雌ねじ２２ａは、リール本体１の前部１Ｂの前端部に形成された雄ねじ１ｊに対して直接螺合可能である。つまり、第一部材２０は、前部１Ｂの雄ねじ１ｊに円筒部２２の雌ねじ２２ａを螺合することにより、他のねじ等の部材を用いることなく前部１Ｂに対して取り付けられる。雌ねじ２２ａは、特許請求の範囲における「螺合部」に相当する。
【００４６】
第二部材３０は、第一部材２０と異種材料である、例えば、合成樹脂材により形成されている。第二部材３０は、図５に示すように、保護カバー１０の周壁部をなす基部３１と、基部３１の内面に設けられた内側フランジ部３２と、内側フランジ部３２に隣接して基部３１の内面に設けられたリブ３４およびガイド片３５と、基部３１の外面に設けられた突起部３３と、を備えている。また、基部３１の外面には、図５（ｄ）に示すように、段面くさび状の突起３１ａからなる意匠が周方向に所定の間隔を空けて施されている。
【００４７】
内側フランジ部３２は、図５（ｃ）に示すように、基部３１の内周面に沿って環状に形成されている。内側フランジ部３２の内周縁部には、図５（ａ）に示すように、周方向に所定の間隔を空けて突部３２ａが設けられている。各突部３２ａは、リール本体１の前部１Ｂに設けられた上部受部１ｍおよび左右受部１ｇ（図６参照、図２において左右受部１ｇは断面で図示）に対応して形成されている。具体的に、図３に示すように、内側フランジ部３２の上部の内周縁部に形成された突部３２ａは、前部１Ｂの上部受部１ｍに形成された段部１ｎに係合される。また、内側フランジ部３２の左右の内周縁部に形成された突部３２ａは、図２に示すように、前部１Ｂの左右受部１ｇ（図では左受部１ｇ）に形成された段部１ｈに係合される。なお、左右受部１ｇは、図６（ｂ）に示すように、前部１Ｂの上部外面および下部外面から左右側方へ向けて延出している。
【００４８】
第二部材３０の内面の前部には、図５（ａ）（ｃ）、図７（ｂ）に示すように、前後方向に延在する複数のリブ３４が形成されている。各リブ３４の後端部は、内側フランジ部３２に達している（図５（ｃ）参照）。リブ３４の前端部には、図２に示すように、シール部材（円環状のＯリング）１ｅが配置される。リブ３４には、シール部材１ｅを介して第一部材２０を前部１Ｂに装着する際の、前記雄ねじ１ｊと前記雌ねじ２２ａとの螺合による締付け力が作用するようになっている。なお、リブ３４に作用する締付け力は、内側フランジ部３２を介して後方の上部受部１ｍおよび左右受部１ｇに作用する。これによって、前部１Ｂと第一部材２０との間に第二部材３０が挟持される。
【００４９】
なお、第一部材２０の締付け力は、第二部材３０のリブ３４に作用するものであり、基部３１に対して直接的に作用するものではない。したがって、基部３１が薄肉に形成されている構成でありながら基部３１に歪みや変形が生じ難いものとなっている。したがって、第二部材３０の意匠性の自由度が高くなっている。
【００５０】
ガイド片３５は、第二部材３０の後部の上部内面に一対設けられている。一対のガイド片３５は、前部１Ｂの上部受部１ｍに対応して形成されている。一対のガイド片３５は、前部１Ｂに第二部材３０を装着する際に、上部受部１ｍの左右両側部を両側から挟むように当接して第二部材３０のガイド部材として機能する。
【００５１】
突起部３３は、図５（ｂ）に示すように、基部３１の前部側の外面に周状に形成されている。突起部３３は、前記した第一隙間Ｓ１に向けて突出しており、第一壁部Ｋ１として機能する。突起部３３は、図２に示すように、ロータ４の筒部４１の内面４１ａに対して接触することなく、若干の隙間を有して対峙している。
【００５２】
第二部材３０の内面の前部には、前後方向に延在する複数のリブ３４が形成されている。各リブ３４の後端部は、内側フランジ部３２に達している。内側フランジ部３２は、図２に示すように、リール本体１の前部１Ｂに設けられた支持部１ｇ（図６参照）に対して係合するようになっている。ここで、支持部１ｇは、図６に示すように、前部１Ｂの左右側方へ向けて延在する板状の片であり、前部１Ｂの左右両側に計４つ設けられている。
なお、第二部材３０は、軽量化および強度向上を図るために、繊維強化樹脂等で形成してもよい。
【００５３】
次に、リール本体１の前部１Ｂに対して保護カバー１０を装着する際の手順について説明する。
まず、前部１Ｂに対して第二部材３０を装着する。この場合、前部１Ｂの前方から第二部材３０を前部１Ｂに近付け、第二部材３０の一対のガイド片３５を前部１Ｂの上部受部１ｍの左右両側部に当接させるようにして、第二部材３０を後方へ移動させる。そうすると、第二部材３０の内側フランジ部３２（突部３２ａ）が、前部１Ｂの上部受部１ｍの段部１ｎおよび左右受部１ｇの段部１ｈに係合して、第二部材３０が前部１Ｂに位置決めされる。
【００５４】
その後、第一部材２０の円筒部２２にシール部材１ｅを装着し、前部１Ｂの前端の雄ねじ１ｊに対して第一部材２０の雌ねじ２２ａを螺合する。そうすると、第一部材２０が前部１Ｂに固定されるとともに、第一部材２０の締付け力が、シール部材１ｅを介して第二部材３０のリブ３４に作用し、前部１Ｂと第一部材２０との間に第二部材３０が挟持される。これによって、前部１Ｂに対して保護カバー１０が固定される。
【００５５】
また、第一部材２０の固定にともなって、前部１Ｂの前端部と第一部材２０の内周縁部の後面との間に前極板５１が挟持される。これによって、前部１Ｂに磁気シール機構５０が構成される。
【００５６】
また、固定された保護カバー１０の周りにロータ４を固定することで、保護カバー１０とロータ４との間に第一隙間Ｓ１および第二隙間Ｓ２が形成される。そして、第一隙間Ｓ１には、突起部３３および外縁部２１ａによる第一壁部Ｋ１が構成される。また、第二隙間Ｓ２には、突状部２３，２３および突状部４３，４３によるラビリンス構造の第二壁部Ｋ２が構成される。
【００５７】
以上のような魚釣用スピニングリールにおいて、ある程度の水圧を有する海水や水、あるいはこれらに混じった砂、異物等が第一隙間Ｓ１を通じて侵入してきた場合の作用について説明する。
実釣時等において、第一隙間Ｓ１を通じて海水や異物等が侵入した場合には、第一隙間Ｓ１に配置される第一壁部Ｋ１の突起部３３によってその移動が阻まれる。また、突起部３３を越えて海水や異物等がさらに前部側へ移動した場合には、第一壁部Ｋ１の外縁部２１ａによってその移動が阻まれる。また、外縁部２１ａを越えて海水や異物等がさらに前部側へ移動した場合には、第二壁部Ｋ２の突状部２３，２３および突状部４３，４３によるラビリンス構造によって駆動軸筒８側へ向けた移動が阻まれる。
このように、第一壁部Ｋ１および第二壁部Ｋ２の各壁部による防水防塵作用によって、海水や異物等の直接的な駆動部への侵入が好適に阻まれる。
【００５８】
以上説明した本実施形態の魚釣用スピニングリールによれば、保護カバー１０とロータ４との間に形成される隙間に備わる第一壁部Ｋ１と第二壁部Ｋ２との相乗効果によって、防水防塵機能を良好に発揮できるので、保護カバー１０の内側に備わる機能部材、例えば、前側軸受９ａやローラ式一方向クラッチ１１等を好適に保護することができる。したがって、ロータ４等の円滑な回転性能を長期間に亘って好適に維持することが可能となる。
【００５９】
また、第一壁部Ｋ１および第二壁部Ｋ２が複数の壁部（突起部３３、外縁部２１ａ、突状部２３，２３および突状部４３，４３）から構成され、防水防塵壁としての機能がより一層高められるので、保護カバー１０の内側に備わる機能部材を、海水や異物等から効果的に保護することができる。
さらに、第二壁部Ｋ２がラビリンス構造とされることで、防水防塵壁としての機能がより一層高められるので、保護カバー１０の内側に備わる機能部材を、海水や異物等からより一層効果的に保護することができる。
【００６０】
また、磁気シール機構５０を備えることで、ロータ４を駆動する駆動軸筒８の回転性能を低下させることなく、防水、防塵を図ることができるので、保護カバー１０の内側に備わる機能部材を、海水や異物等から効果的に保護することができるとともに、錆びや塩分等に起因する回転性能の悪化を未然に防止できる。
例え、磁気シール機構５０まで浸水したとしても、第一壁部Ｋ１および第二壁部Ｋ２により水圧が弱まり、磁気シール機構５０の性能を長期に亘り維持できる。
【００６１】
また、第一部材２０に、高精度かつ適度な強度をもたせることができるとともに、第二部材３０の軽量化を図ることができる。また、第二部材３０は、材料の選択の幅が広がるので、意匠性の向上を図ることができる。したがって、安定した防水性能を発揮できるとともに、保護カバー１０の軽量化および意匠性に優れた魚釣用スピニングリールが得られる。
また、第一部材２０がリール本体１の前部１Ｂに直接固定されることで第一部材２０の組付精度を高めることができるので、防水性能の安定性が高まる。
【００６２】
また、第一部材２０が金属製であり、第二部材３０が樹脂製であるので、磁気シール機構５０の組付精度の向上、保護カバー１０の軽量化および意匠性の向上を容易に図ることができる。したがって、防水性能の安定性が高まるとともに、保護カバー１０の軽量化および意匠性に優れた魚釣用スピニングリールが得られる。
【００６３】
また、雌ねじ２２ａを介してリール本体１の前部１Ｂに第一部材２０を組み付けることで、リール本体１の前部１Ｂに第二部材３０を一緒に固定することができるので、組付性が高まり生産性が向上する。
【００６４】
また、第一部材２０が、磁気シール機構５０の前極板５１を支持して磁気シール機構５０の位置決めがなされるので、磁気シール機構５０の組付精度が高まり、防水性能の安定性が高まる。これによって、保護カバー１０と磁性部１４との密封性が確保される。したがって、保護カバー１０の内側に備わる機能部材を、海水や異物等から効果的に保護することができるとともに、錆びや塩分等に起因する回転性能の悪化を未然に防止できる。
【００６５】
以上、本発明の実施形態について説明したが、本発明は、上記した実施形態に限定されることはなく、種々変形することが可能である。
例えば、第一壁部Ｋ１の変形例として、図８（ａ）に示すように、ロータ４の筒部４１の内面４１ａに突起部４８を設けてもよい。この場合、ロータ４の筒部４１の内面４１ａに付着した海水や異物等の侵入防止を突起部４８によって好適に実現することができる。なお、図８（ｂ）では突起部４８を有するロータ４の装着を可能とするために、保護カバー１０の外縁部２１ａ（図２参照）を削除している。
【００６６】
また、図８（ｂ）に示すように、ロータ４の底部４２の後面４２ａに設けた溝部４３ａを後面４２ａよりも深く形成し、この溝部４３ａ内に深く入り込む状態に、保護カバー１０の第一部材２０の突状部２３を延在させてもよい。このように構成することによって、ラビリンス構造における突状部２３と突状部４３とのオーバーラップ量が多くなり、防水防塵機能がより一層良好に発揮される。また、ラビリンス構造の一部をロータ４の底部４２の厚みを利用してスペース効率よく形成することができる。
【００６７】
また、前記実施形態では、第一壁部Ｋ１を構成する突起部３３や外縁部２１ａ、および第二壁部Ｋ２を構成する突状部２３，４３は、いずれも周状に形成されるものを示したが、これに限られることはなく、周方向に部分的に途切れるように形成してもよい。また、周方向に点在するように形成してもよい。
【００６８】
また、前記実施形態では、第一壁部Ｋ１および第二壁部Ｋ２を保護カバー１０やロータ４に一体形成したものについて説明したが、これに限られることはなく、第一壁部Ｋ１および第二壁部Ｋ２の少なくとも一方を別体の壁部材で構成してもよい。このように、別体の壁部材で構成した場合には、壁部材を保護カバー１０やロータ４に取り付けることで、第一壁部Ｋ１や第二壁部Ｋ２を簡単に設けることができるので、コストの低減が可能である。
【００６９】
また、前記実施形態では、磁気シール機構５０を備える魚釣用スピニングリールについて説明したが、これに限られることはなく、ゴム製等の弾性シール部材によってシールする弾性シール機構を備えた魚釣用スピニングリールについても本発明を適用することができる。この場合、シール部材を支持する支持プレートを第一部材２０によって支持してもよい。
【００７０】
また、前記実施形態では、第一壁部Ｋ１および第二壁部Ｋ２の両方を複数の壁部（突起部３３、外縁部２１ａ、突状部２３，２３および突状部４３，４３）で構成したが、これに限られることはなく、第一壁部Ｋ１および第二壁部Ｋ２の少なくとも一方を複数の壁部から構成してもよい。また、第一壁部Ｋ１および第二壁部Ｋ２の両方をラビリンス構造としてもよい。
【００７１】
また、保護カバー１０の第二部材３０の基部３１に対して、周方向に点在する孔部を設けて軽量化を図ってもよい。
【００７２】
また、前記実施形態では、リール本体１の前部１Ｂに別体の保護カバー１０が装着される例を示したが、これに限られることはなく、前部１Ｂに対して保護カバー１０に相当する有底筒状部の一部あるいは全部が一体的に設けられるものに対しても本発明を採用することができる。
【００７３】
また、前記実施形態では、第一部材２０が金属製で第二部材３０が樹脂製であるものを示したが、これに限られることはなく、第一部材２０と第二部材３０とが異種材料で、第一部材２０が第二部材３０よりも高強度の材料で形成されていればよい。このようにすることによって、第一部材２０に高精度かつ適度な強度をもたせることができるので、安定した防水性能を発揮できる。
【符号の説明】
【００７４】
１      リール本体
１Ｂ    前部
４      ロータ
７      ハンドル
８      駆動軸筒
９ａ    前側軸受（機能部材）
１０    保護カバー
１１    ローラ式一方向クラッチ（機能部材）
１４    磁性部（装着部材）
２０    第一部材
２０ａ  前面
２１ａ  外縁部
２３    突状部
３０    第二部材
３０ａ  外面
３３    突起部
４２    底部
４２ａ  後面
４３    突状部
４８    突起部
５０    磁気シール機構
５１    前極板（保持板）
５２    後極板
５３    磁石
５５    磁性流体
Ｋ１    第一壁部
Ｋ２    第二壁部
Ｓ１    第一隙間
Ｓ２    第二隙間
【図１】
0006491579.tif 000002
【図２】
0006491579.tif 000003
【図３】
0006491579.tif 000004
【図４】
0006491579.tif 000005
【図５】
0006491579.tif 000006
【図６】
0006491579.tif 000007
【図７】
0006491579.tif 000008
【図８】
0006491579.tif 000009